(57)【要約】【課題】薄型で吸収性に優れる軽失禁用吸収性物品を提供する。【解決手段】液透過性のトップシートと、液不透過性のバックシートと、トップシート及びバックシートの間に配置された吸収体と、を有する軽失禁用吸収性物品であって、吸収体は、２枚又は３枚の液透過性シートと、該２枚又は３枚の液透過性シート間に集積された高吸収性ポリマーと、を含んでなる、高吸収性シートであり、吸収体は、幅方向の両端がバックシート側に折り畳まれることにより、上層吸収体及び下層吸収体に区分され、上層吸収体の一部が、下層吸収体と厚さ方向に重複しており、上層吸収体は、厚さ方向に貫通する複数の開孔を有する、軽失禁用吸収性物品を提供する。【選択図】図２
2019005421.tif 000002
【特許請求の範囲】
【請求項１】
液透過性のトップシートと、液不透過性のバックシートと、トップシート及びバックシートの間に配置された吸収体と、を有する軽失禁用吸収性物品であって、
前記吸収体は、２枚又は３枚の液透過性シートと、該２枚又は３枚の液透過性シート間に集積された高吸収性ポリマーと、を含んでなる、高吸収性シートであり、
前記吸収体は、幅方向の両端がバックシート側に折り畳まれることにより、上層吸収体及び下層吸収体に区分され、前記上層吸収体の一部が、前記下層吸収体と厚さ方向に重複しており、
前記上層吸収体は、厚さ方向に貫通する複数の開孔を有する、軽失禁用吸収性物品。
【請求項２】
前記上層吸収体の幅方向の寸法が、３０ｍｍ以上９０ｍｍ以下であり、
前記開孔が、前記上層吸収体の幅方向中心線から、前記上層吸収体の幅方向の寸法に対して５％以上離れた位置に形成される、請求項１に記載の軽失禁用吸収性物品。
【請求項３】
前記吸収体が、長手方向に形成されるエンボス溝を介して、幅方向の両端を前記バックシート側に折り畳まれている、請求項１又は２に記載の軽失禁用吸収性物品。
【請求項４】
前記高吸収性ポリマーの坪量が、２０ｇ／ｍ２以上４００ｇ／ｍ２以下である、請求項１から３のいずれかに記載の軽失禁用吸収性物品。
【請求項５】
前記上層吸収体の、前記下層吸収体と厚さ方向に重複していない領域の幅方向の寸法が、前記上層吸収体の全体の幅方向の寸法に対して、２０％以上８０％以下である、請求項１から４のいずれかに記載の軽失禁用吸収性物品。
【請求項６】
前記下層吸収体の先端部が、固定部材により前記バックシートと接合している、請求項１から５のいずれかに記載の軽失禁用吸収性物品。
【請求項７】
前記下層吸収体の先端部が、固定部材により前記吸収体の前記バックシート側に位置する第二の吸収体と接合している、請求項１から５のいずれかに記載の軽失禁用吸収性物品。
【請求項８】
前記吸収体が、３枚の液透過性シートと、該３枚の液透過性シートの間に集積された高吸収性ポリマーと、を含んでなる、高吸収性シートであり、
前記吸収体は、幅方向の両端がバックシート側に折り畳まれる前において、上下２段構造を有し、下段の幅方向の寸法が上段の幅方向の寸法よりも小さい、請求項１から７のいずれかに記載の軽失禁用吸収性物品。
【発明の詳細な説明】
【技術分野】
【０００１】
本発明は、薄型で吸収性に優れる軽失禁用吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿等の体液は、トップシートを通って吸収体に吸収される。この吸収性物品は、想定される使用状況における体液の排出量に応じて、様々な吸収量のものが存在する。これらのうち、比較的少量の排出量の体液を吸収するものとしては、軽失禁ライナーや軽失禁パッド等の軽失禁用吸収性物品が知られている。
【０００３】
このような軽失禁用吸収性物品は、一般的に、着用感を向上させ、外部から目立たないようにするために、薄型であることが求められ、当然のことながら吸収性物品としての十分な吸収性も求められる。
【０００４】
このような吸収性物品として、例えば、特許文献１には、トップシート、バックシート及び吸収体と、を備える吸収性物品において、吸収体を構成するシート材の幅方向両端側の各側部が、当該シート材の中央側に折り返され、一方の側部に他方の側部が重ね合わせされた態様が開示されている。また、特許文献２には、トップシート、バックシート及びフラッフパルプ等の繊維を含まない吸収性シートを備える吸収性物品において、吸収性シートの長手方向両側部それぞれが吸収性シートの内方に折り返された態様が開示されている。
【先行技術文献】
【特許文献】
【０００５】
【特許文献１】特開２００５−１０２８６４号公報
【特許文献２】特開２００９−６１２３０号公報
【発明の概要】
【発明が解決しようとする課題】
【０００６】
特許文献１に記載された吸収性物品では、吸収体に、高吸収性ポリマー及びフラッフパルプ等の吸収性繊維を含有するものを用いているため、吸収性には優れるものの、薄型化という観点において十分なものではなかった。また、特許文献２に記載された吸収性物品では、吸収体に、フラッフパルプ等の繊維を含まずに高吸収性ポリマーのみで構成されたものを用いているが、吸収体を高吸収性ポリマーのみで構成する場合には、圧縮や固定手段により高吸収性ポリマーが高密度に存在するため、フラッフパルプと高吸収性ポリマーを混在させた場合と比較して、薄型化を実現しやすいものの、高吸収性ポリマーはフラッフパルプ等の吸収性繊維と比較して吸水に多少の時間がかかるため、多量の尿が一度に排出された場合には、吸収しきれずに尿が漏れるという問題があった。
【０００７】
したがって、本発明は、以上の課題に鑑みてなされたものであり、薄型で吸収性に優れる軽失禁用吸収性物品を提供することを目的とする。
【課題を解決するための手段】
【０００８】
本発明の発明者らは、上記課題に鑑み、鋭意研究を行った。その結果、吸収体として、２枚又は３枚の液透過性シートと、該２枚又は３枚の液透過性シート間に集積された高吸収性ポリマーと、を含んでなる、高吸収性シートを用い、吸収体を所定の態様で折り畳み、さらに、吸収体に所定の開孔を設けることにより、上記の課題を解決できることを見出し、本発明を完成するに至った。具体的には、本発明は、以下のものを提供する。
【０００９】
（１）本発明の第１の態様は、液透過性のトップシートと、液不透過性のバックシートと、トップシート及びバックシートの間に配置された吸収体と、を有する軽失禁用吸収性物品であって、前記吸収体は、２枚又は３枚の液透過性シートと、該２枚又は３枚の液透過性シート間に集積された高吸収性ポリマーと、を含んでなる、高吸収性シートであり、前記吸収体は、幅方向の両端がバックシート側に折り畳まれることにより、上層吸収体及び下層吸収体に区分され、前記上層吸収体の一部が、前記下層吸収体と厚さ方向に重複しており、前記上層吸収体は、厚さ方向に貫通する複数の開孔を有する、軽失禁用吸収性物品である。
【００１０】
（２）本発明の第２の態様は、（１）に記載の軽失禁用吸収性物品であって、前記上層吸収体の幅方向の寸法が、３０ｍｍ以上９０ｍｍ以下であり、前記開孔が、前記上層吸収体の幅方向中心線から、前記上層吸収体の幅方向の寸法に対して５％以上離れた位置に形成されることを特徴とするものである。
【００１１】
（３）本発明の第３の態様は、（１）又は（２）に記載の軽失禁用吸収性物品であって、前記吸収体が、長手方向に形成されるエンボス溝を介して、幅方向の両端を前記バックシート側に折り畳まれていることを特徴とするものである。
【００１２】
（４）本発明の第４の態様は、（１）から（３）のいずれかに記載の軽失禁用吸収性物品であって、前記高吸収性ポリマーの坪量が、２０ｇ／ｍ２以上４００ｇ／ｍ２以下であることを特徴とするものである。
【００１３】
（５）本発明の第５の態様は、（１）から（４）のいずれかに記載の軽失禁用吸収性物品であって、前記上層吸収体の、前記下層吸収体と厚さ方向に重複していない領域の幅方向の寸法が、前記上層吸収体の全体の幅方向の寸法に対して、２０％以上８０％以下であることを特徴とするものである。
【００１４】
（６）本発明の第６の態様は、（１）から（５）のいずれかに記載の軽失禁用吸収性物品であって、前記下層吸収体の先端部が、固定部材により前記バックシートと接合していることを特徴とするものである。
【００１５】
（７）本発明の第７の態様は、（１）から（５）のいずれかに記載の軽失禁用吸収性物品であって、前記下層吸収体の先端部が、固定部材により前記吸収体の前記バックシート側に位置する第二の吸収体と接合していることを特徴とするものである。
【００１６】
（８）本発明の第８の態様は、（１）から（７）のいずれかに記載の軽失禁用吸収性物品であって、前記吸収体が、３枚の液透過性シートと、該３枚の液透過性シートの間に集積された高吸収性ポリマーと、を含んでなる、高吸収性シートであり、前記吸収体は、幅方向の両端がバックシート側に折り畳まれる前において、上下２段構造を有し、下段の幅方向の寸法が上段の幅方向の寸法よりも小さいことを特徴とするものである。
【発明の効果】
【００１７】
本発明の軽失禁用吸収性物品において、該軽失禁用吸収性物品に用いる吸収体は、２枚又は３枚の液透過性シートと、該２枚又は３枚の液透過性シート間に集積された高吸収性ポリマーと、を含んでなる、高吸収性シートである。このため、薄型の軽失禁用吸収性物品を得ることができる。また、吸収体は、幅方向の両端がバックシート側に折り畳まれることにより、上層吸収体及び下層吸収体に区分され、上層吸収体の一部が、下層吸収体と厚さ方向に重複しており、上層吸収体は、厚さ方向に貫通する複数の開孔を有する。このため、吸収体が、フラッフパルプ等を含まなくても、吸収性に優れる軽失禁用吸収性物品を得ることができる。
【図面の簡単な説明】
【００１８】
【図１】本発明の軽失禁用吸収性物品に用いる吸収体を折り畳む前の状態を示す平面図である。
【図２】図１のＸ１−Ｘ１の位置における軽失禁用吸収性物品の断面図である。
【図３】図２の吸収後の態様を示す図面である。
【図４】本発明の軽失禁用吸収性物品の別態様を示す断面図である。
【発明を実施するための形態】
【００１９】
＜軽失禁用吸収性物品＞
本発明の実施形態に係る軽失禁用吸収性物品１としては、軽失禁パッド、軽失禁ライナーが例示される。軽失禁用吸収性物品１は、身体側表面に配置された液透過性のトップシート１０と、トップシート１０に対向し、衣類側表面に配置された液不透過性のバックシート３０と、トップシート１０及びバックシート３０の間に配置された吸収体２０と、を備え、これにより、吸収体２０は、トップシート１０とバックシート３０との間に挟まれた構造となっている。なお、本明細書の説明において、軽失禁用吸収性物品１の長手方向とは、軽失禁用吸収性物品１が着用されたときに着用者の前後に亘る方向である。また、軽失禁用吸収性物品１の幅方向とは、長手方向に対して横又は直交する方向であり、吸収体２０がバックシート３０側に折り畳まれる方向である。
【００２０】
［吸収体］
吸収体２０は、２枚又は３枚の液透過性シート（図示しない）と、この２枚又は３枚の液透過性シート間に集積された高吸収性ポリマーと、を含んでなる、高吸収性シートである。なお、本明細書における吸収体は、後述する第二の吸収体５０を除いて、フラッフパルプ等の吸収性繊維を含まない。これにより、薄型の軽失禁用吸収性物品１を得ることができる。
【００２１】
液透過性シートとしては、後述するトップシート１０と同様に、ポリプロピレンやポリエチレン等の合成繊維、レーヨン等の再生繊維、綿等の天然繊維を用いて、エアスルー法、サーマルボンド法、スパンレース法、スパンボンド法等の公知の加工法によって得られた親水性不織布、開口ポリエチレンフィルム等の開口性フィルム、ウレタンフォーム等の発泡フィルム等を用いることができる。
【００２２】
吸収体２０に用いる高吸収性ポリマーとしては、尿を吸収し、かつ、逆流を防止できるものであれば特に制限はなく、ポリアクリル酸ナトリウム系共重合体、ポリアスパラギン酸塩系共重合体、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系共重合体が好ましい。また、高吸収性ポリマーの坪量は、薄型でありながら吸収性能を確保するために、２０ｇ／ｍ２以上４００ｇ／ｍ２以下とすることが好ましく、５０ｇ／ｍ２以上１２０ｇ／ｍ２以下の坪量とすることがより好ましい。
【００２３】
（上層吸収体及び下層吸収体）
吸収体２０は、図２に示すように、幅方向の両端がバックシート３０側に折り畳まれることにより、上層吸収体２１及び下層吸収体２２に区分され、上層吸収体２１の一部が、下層吸収体２２と厚さ方向に重複している。さらに、上層吸収体２１は、厚さ方向に貫通する複数の開孔２４を有する。なお、吸収体２０は、図１に示すように、長手方向にエンボス溝２３を有することが好ましい。これにより、吸収体２０の幅方向の両端をエンボス溝２３を介してバックシート３０側に容易に折り畳むことができる。エンボス溝２３はヒートエンボス、超音波エンボス、高周波エンボス等の公知の方法により形成することができる。エンボス溝２３は幅広で１本で構成されてもよいが、折り畳みやすいように間隔の空いた幅狭の２本から６本の複数本により構成されていてもよい。吸収体２０は、キャリアシート（図示しない）に包んでもよい。
【００２４】
また、図２に示すように、尿の吸収前においては、上層吸収体２１の一部が、下層吸収体２２と平面で重なっており、上層吸収体２１の下層吸収体２２と厚さ方向に重なっていない領域と、バックシート３０と、の間に保持空間２５を有する構造となっている。そして、排尿時においては、尿が、吸収体２０に吸収されるだけでなく、開孔２４を介して速やかに保持空間２５に導かれ、かつ、保持されて、その後、幅方向及び高さ方向から吸収体２０に吸収される。また、吸収された尿は保持空間２５の長手方向に伝わり、速やかに長手方向に拡散する。このため、吸収体２０がフラッフパルプ等の吸収性繊維を含まなくても、本発明の軽失禁用吸収性物品１は、外部への尿漏れが起こりづらく、吸収性に優れる。加えて、排尿後の高吸収性ポリマーの膨潤により、図３に示すように、下層吸収体２２の先端部を起点として下層吸収体２２が起立し、保持空間２５が広がるため、保持空間２５により多くの尿を保持することができるようになる。なお、下層吸収体２２の先端部とは、図２及び図３に示すように、下層吸収体２２の両端部のうち、上層吸収体２１と結合していない端部を指す。吸収体２０がこのような構造及び特徴を有することにより、吸収体２０がフラッフパルプ等の吸収性繊維を含まなくても、吸収性に優れる軽失禁用吸収性物品１を得ることができる。
【００２５】
また、図２及び図３に示すように、下層吸収体２２の先端部は、固定部材４０によりバックシート３０と接合していることが好ましい。吸収体２０がキャリアシートに包まれる場合には、下層吸収体２２先端部は、キャリアシート（図示しない）を介してバックシート３０に接合される。下層吸収体２２の先端部が、固定部材４０により固定されることにより、下層吸収体２２の先端部が固定され、下層吸収体２２がより起立しやすくなり、起立した後の形状も維持しやすくなる。固定部材４０の基材としては、特に限定されないが、ホットメルト粘着剤であることが好ましい。
【００２６】
なお、開孔２４の形状は製造時に開孔２４を形成しやすいように、略円形であることが好ましいが、特に限定されず、線状でもよい。開孔２４は、例えば特許第３６７６２１９号公報に記載されるような針状突起又はカッターを用いて形成することができる。また、開孔２４の形成の際には、開孔２４の形成により高吸収性ポリマーが外にこぼれ出ないように、吸収体２０の該当する箇所の表面をヒートシール等によりシールすることが好ましい。さらに、吸収性及び肌触りの観点から、開孔２４の最大径は、２ｍｍ以上２０ｍｍ以下であることが好ましい。また、上層吸収体２１の幅方向の寸法は３０ｍｍ以上９０ｍｍ以下であることが好ましい。また、開孔２４が、上層吸収体２１の幅方向中心線から、上層吸収体２１の幅方向の寸法に対して５％以上離れた位置に形成されることが好ましい。このように、開孔２４を、排尿領域の中心を避けて形成することにより、着用感及び肌触りを向上させることができる。
【００２７】
吸収体２０は、接着剤が塗布された液透過性シートに高吸収性ポリマーを分布及び固定させて形成される。用いる接着剤としては特に限定されないが、ホットメルト接着剤を用いることが好ましい。また、接着剤の塗布方法としては特に制限されないが、スロットコートやスプレーコートで塗布することが好ましい。
【００２８】
さらに、保持空間２５を十分に確保し、かつ、下層吸収体２２が安定して起立できるように、上層吸収体２１の、下層吸収体２２と厚さ方向に重複していない領域の幅方向の寸法が、上層吸収体２１の幅方向の全体の寸法に対して、２０％以上８０％以下であることが好ましい。
【００２９】
吸収体２０が、３枚の液透過性シートと、該３枚の液透過性シートの間に集積された高吸収性ポリマーと、を含んでなる、高吸収性シートである場合、吸収体２０は、幅方向の両端がバックシート３０側に折り畳まれる前において、上下２段構造を有する。この場合、下段の幅方向の寸法が、上段の幅方向の寸法よりも小さくてもよい。吸収体２０がこのような構造を有する場合、吸収体２０の折り部の剛度が低下し、吸収体２０をバックシート３０側に折り畳みやすくなる。
【００３０】
また、図４に示すように、本発明の軽失禁用吸収性物品１において、下層吸収体２２の先端部が、固定部材４０により吸収体２０のバックシート３０側に位置する第二の吸収体５０と接合していてもよい。ここで、第二の吸収体５０は、フラッフパルプ及び高吸収性ポリマーからなることが好ましい。また、第二の吸収体５０の坪量は、５０ｇ／ｍ２以上７００ｇ／ｍ２以下であることが好ましい。第二の吸収体５０に用いるフラッフパルプとしては、針葉樹パルプ（ＮＢＫＰ）及び広葉樹パルプ（ＬＢＫＰ）のいずれかを用いることができ、また、それらを混合して用いることもできる。第二の吸収体５０は、キャリアシート（図示しない）に包むことが好ましい。
【００３１】
［トップシート］
トップシート１０は、吸収体２０に向けて尿を速やかに通過させるものであり、吸収体２０を挟んで、バックシート３０に対向して配置される。トップシート１０は、肌と当接するシートとなることから、トップシート１０には、柔らかな感触で、肌に刺激を与えないような性質を有する、ポリプロピレンやポリエチレン等の合成繊維、レーヨン等の再生繊維、綿等の天然繊維を用いて、エアスルー法、サーマルボンド法、スパンレース法、スパンボンド法等の公知の加工法によって得られた親水性不織布、開口ポリエチレンフィルム等の開口性フィルム、ウレタンフォーム等の発泡フィルム等を用いることができる。また、トップシート１０には、ドライタッチ性を付与するために多数の透孔が形成されていてもよい。
【００３２】
トップシート１０の坪量は、加工性及び強度の点から、１８ｇ／ｍ２以上４０ｇ／ｍ２以下であることが好ましい。また、トップシート１０には、肌への刺激を低減させるために、ローション、酸化防止剤、抗炎症成分、ｐＨ調整剤、抗菌剤、保湿剤等を適用してもよい。
【００３３】
なお、本発明においては、吸収体２０の上面への尿の拡散を促進するため、トップシート１０と吸収体２０との間に、液拡散性シートを設けてもよい。斯かる液拡散性シートとしては、例えば、エアスルー不織布、ポイントボンド不織布、スパンボンド不織布、メルトブロー不織布等の不織布や、スパンボンド／メルトブロー、スパンボンド／メルトブロー／スパンボンドを積層した複合不織布を挙げることができる。液拡散性シートの厚みは０．１ｍｍ以上であることが好ましく、その坪量は１５ｇ／ｍ２以上であることが好ましい。液拡散性シートの形状は、特に制限はないが、尿がくまなく吸収体２０に拡散するよう、吸収体２０の表面を完全に覆うことができる形状であることが好ましい。
【００３４】
［バックシート］
バックシート３０は、軽失禁用吸収性物品１の外部に尿が漏れないよう、液不透過性を有し、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。バックシート３０は、着用者の股間が位置づけられる長手方向中央に括れ部を有する砂時計形状、略矩形形状等の形状を有していてもよく、吸収体２０の側縁より若干外方に延在して設けられていてもよい。バックシート３０の衣類側表面には、着用時に下着等に軽失禁用吸収性物品１を固着するための粘着剤層が設けられていてもよい。軽失禁用吸収性物品１が粘着剤層を有する場合、粘着剤層を保護するための剥離シートを有していてもよく、この剥離シートは、軽失禁用吸収性物品１の包装シートと部分的に接合されていてもよい。トップシート１０及びバックシート３０は、長手方向端部等、端部の少なくとも一部において、吸収体２０を挟まずに、ホットメルト接着剤やヒートシール等により固着されるフラップを形成していてもよい。
【００３５】
［立体ギャザー］
軽失禁用吸収性物品１の身体側表面には、立体ギャザーが設けられていてもよい。この立体ギャザーは、トップシート１０とともに尿の閉じ込め空間を形成し、尿の漏れを防止できるようになっている。立体ギャザーは、立体ギャザーシートと、立体ギャザーシートの自由端部に沿って配された伸縮性弾性部材と、を備えていることが好ましい。伸縮性弾性部材としては、天然ゴム、合成ゴム及びポリウレタン等からなる、糸状、紐状、平型形状のものを適宜使用することができる。
【００３６】
＜軽失禁用吸収性物品の製造方法＞
軽失禁用吸収性物品１の製造方法としては、特に制限はなく、従来公知の方法を採用することができる。例えば、吸収体２０にはあらかじめ、エンボス溝２３を長手方向に形成し、さらに、幅方向両端を、エンボス溝２３を介してバックシート３０側に折り畳み、上層吸収体２１の幅方向中心線から、上層吸収体２１の幅方向の寸法に対して５％以上離れた位置に開孔２４を形成する。その後、上記の通り準備した吸収体２０をトップシート１０とバックシート３０との間に挟持し、下層吸収体２２の先端部を固定部材４０によりバックシート３０と接合させ、トップシート１０とバックシート３０とを一部又は全周に亘ってホットメルト接着剤やヒートエンボス、超音波エンボス、高周波エンボス等を用いて固定することで製造することができる。そして、これを包装体に個別包装した後、長手方向に３つ折りにして折り畳めばよい。
【００３７】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３８】
１      軽失禁用吸収性物品
１０    トップシート
２０    吸収体
２１    上層吸収体
２２    下層吸収体
２３    エンボス溝
２４    開孔
２５    保持空間
３０    バックシート
４０    固定部材
５０    第二の吸収体
【図１】
2019005421.tif 000003
【図２】
2019005421.tif 000004
【図３】
2019005421.tif 000005
【図４】
2019005421.tif 000006